(57)【要約】【課題】所望の脚の外転状態を保持しつつ、装着者自身による体位変換を容易に行うことができる外転枕を提供する。【解決手段】外転枕１は、上下方向に連続して設けられた略柱状の空間を規定する第一大腿収容部２１および第二大腿収容部２２を有する本体１０を備え、第一大腿収容部および第二大腿収容部の内面は、互いの距離ｄが本体の下端１０ａに近づくにつれて大きくなり、かつ装着者が第一大腿収容部および第二大腿収容部に大腿を収容した際に、大腿の少なくとも一方が装着者の骨盤に対して外転状態を維持する形状に形成されており、本体の背面の少なくとも一部は、外方に向かって凸となる曲面を有する。【選択図】図１
2018117906.tif 000002
【特許請求の範囲】
【請求項１】
上下方向に連続して設けられた略柱状の空間を規定する第一大腿収容部および第二大腿収容部を有する本体を備え、
前記第一大腿収容部および前記第二大腿収容部の内面は、互いの距離が前記本体の下端に近づくにつれて大きくなり、かつ装着者が前記第一大腿収容部および前記第二大腿収容部に大腿を収容した際に、前記大腿の少なくとも一方が装着者の骨盤に対して外転状態を維持する形状に形成されており、
前記本体の背面の少なくとも一部は、外方に向かって凸となる曲面を有する、
外転枕。
【請求項２】
前記第一大腿収容部および前記第二大腿収容部のうち、前記本体の外部と連通する部位の少なくとも一部を被覆するように、前記本体に対して着脱可能に設けられた逸脱防止部材を更に備える、請求項１に記載の外転枕。
【請求項３】
前記本体の左右の側面が略平坦もしくは略平坦に変形可能に構成されている、請求項１に記載の外転枕。
【発明の詳細な説明】
【技術分野】
【０００１】
本発明は、下肢の外転状態を保持する外転枕に関する。
【背景技術】
【０００２】
人工股関節置換術後には、施術した股関節の脱臼を防ぐため、患肢の外転状態を保持する目的で患者に外転枕が装着されることがある。特許文献１に記載の外転枕は、一本の脚を収容して保持するための凹部を有する。患者の患肢を凹部内に収容して外転枕を装着することで、患肢の外転状態を保持することができる。
【先行技術文献】
【特許文献】
【０００３】
【特許文献１】特許第３８７８７７０号公報
【発明の概要】
【発明が解決しようとする課題】
【０００４】
特許文献１に記載の外転枕は、患肢の外転状態の保持に一定の効果があるものの、例えば仰臥位から側臥位へ等の体位変換を患者が自力で行うことが困難である。そのため、入院時においては、体位変換の度に看護師等を呼んで補助を頼む必要があり、退院後においても、日常生活に与える負担が大きいという問題がある。
【０００５】
上記事情を踏まえ、本発明は、所望の脚の外転状態を保持しつつ、装着者自身による体位変換を容易に行うことができる外転枕を提供することを目的とする。
【課題を解決するための手段】
【０００６】
本発明は、上下方向に連続して設けられた略柱状の空間を規定する第一大腿収容部および第二大腿収容部を有する本体を備え、前記第一大腿収容部および前記第二大腿収容部の内面は、互いの距離が前記本体の下端に近づくにつれて大きくなり、かつ装着者が前記第一大腿収容部および前記第二大腿収容部に大腿を収容した際に、前記大腿の少なくとも一方が装着者の骨盤に対して外転状態を維持する形状に形成されており、前記本体の背面の少なくとも一部は、外方に向かって凸となる曲面を有する外転枕である。
【０００７】
本発明の外転枕は、前記第一大腿収容部および前記第二大腿収容部のうち、前記本体の外部と連通する部位の少なくとも一部を被覆するように、前記本体に対して着脱可能に設けられた逸脱防止部材を更に備えてもよい。
【０００８】
前記本体の左右の側面は、略平坦もしくは略平坦に変形可能に構成されてもよい。
【発明の効果】
【０００９】
本発明の外転枕によれば、所望の脚の外転状態を保持しつつ、装着者自身による体位変換を容易に行うことができる。
【図面の簡単な説明】
【００１０】
【図１】本発明の第一実施形態に係る外転枕の正面図である。
【図２】同外転枕の底面図である。
【図３】同外転枕の左側面図である。
【図４】同外転枕が装着された状態を模式的に示す図である。
【図５】同外転枕の変形例における本体の正面図である。
【図６】本発明の第二実施形態に係る外転枕の底面図である。
【図７】装着者が側臥位を取った状態における同外転枕を模式的に示す図である。
【発明を実施するための形態】
【００１１】
本発明の第一実施形態について、図１から図５を参照して説明する。図１は、本実施形態の外転枕１の正面図である。図２は、外転枕１の底面図である。図３は、外転枕１の左側面図である。外転枕１は、図１から図３に示すように、本体１０と、本体１０に取り付けられた蓋部（逸脱防止部材）３０とを備えている。
【００１２】
本体１０は、装着時にかかる圧力等により外形が大きく変形しない程度の硬さを有しており、材料としては、樹脂や、紙、木、金属等を例示することができる。中でも、樹脂や紙等を用いると、本体１０を軽量化することができ、好ましい。樹脂としては、多孔質状に形成された硬質スポンジを用いることもできる。使用者の装着感を向上させるため、本体の表面の全部或いは一部を布等の柔軟な材料で被覆したり、エッジ部分に面取りや角を丸める加工が施されたりしてもよい。
【００１３】
本体１０には、図１に示すように、略柱状の空間（柱状空間）を規定する第一大腿収容部２１および第二大腿収容部２２が、柱状空間が本体１０の上下方向にわたって延びるように、左右方向に並べて設けられている。第一大腿収容部２１および第二大腿収容部２２の内面形状は、本体１０の下端１０ａに近づくにつれて内面間の距離ｄが徐々に大きくなるように設定されている。
【００１４】
図１に示すように、第一大腿収容部２１によって規定される柱状空間において、本体１０の上下方向に直交する断面形状における重心を結んだ線である第一大腿収容部２１の軸線Ｘ１は、本体１０の上下方向に対して非平行となるように角度をなしている。同様に、第二大腿収容部２２の軸線Ｘ２も、本体１０の上下方向に対して非平行となるように角度をなしている。
【００１５】
本体１０の左側および右側の外周面は、一部が上下方向にわたり除去されている。これにより、本体１０は、側方から第一大腿収容部２１および第二大腿収容部２２に規定された柱状空間内にアクセス可能に構成されている。装着者は、本体１０の側方から自身の大腿を進入させて第一大腿収容部２１および第二大腿収容部２２の柱状空間内に大腿を収容することができる。
【００１６】
本体１０の背面１１は、図２に示すように、外方に向かって凸となる曲面状に形成されている。本実施形態においては、図２に示す背面１１の曲面形状が、本体１０の上下方向にわたり連続している。
【００１７】
蓋部３０は、第一大腿収容部２１および第二大腿収容部２２のそれぞれに対応して一つずつ設けられている。一対の蓋部３０は、それぞれ一端３０ａが本体１０の外周面に固定され、他端３０ｂは、本体１０の外周面に着脱可能に構成されている。着脱可能とする構成としては、面ファスナーや磁石、フックや釦など、公知の各種機構を適宜選択して用いることができる。
蓋部３０の材質は、本体１０と同一であっても、異なっていてもいずれでもよい。
【００１８】
上記のように構成された本実施形態の外転枕１の使用時の動作について説明する。
装着者は、各蓋部３０の他端３０ｂが本体１０から離れた状態で、本体１０の側方から両脚の大腿を進入させ、第一大腿収容部２１および第二大腿収容部２２の柱状空間内に大腿を収容する。その後、各蓋部３０の他端３０ｂを本体１０の外周面に取り付けると、外転枕１の装着が完了する。
【００１９】
図４に、装着完了後の外転枕１を示す。本体１０の左右から進入した大腿Ｔｈが第一大腿収容部２１および第二大腿収容部２２内に収容されている。
外転枕１の装着中、第一大腿収容部２１および第二大腿収容部２２に収容された大腿Ｔｈは、装着者の骨盤に対して外転状態が好適に保持される。また、各蓋部３０の他端３０ｂが本体１０の外周面に取り付けられることにより、本体１０の左右において柱状空間にアクセス可能に本体の外部と連通する部位が蓋部３０で被覆され、大腿Ｔｈが第一大腿収容部２１および第二大腿収容部２２から逸脱することが抑制されている。
【００２０】
外転枕１の装着中、例えば仰臥位から側臥位に体位変換をする場合、装着者は腰部から下の領域、または全身を、体軸まわりに回転させるように運動する。本体１０の背面１１が曲面状に形成されているため、上述した運動により、本体１０も容易に体軸まわりに回転する。その結果、装着者は看護師等の他者の補助を必要とせず、自分で容易に体位変換を行うことができる。
体位変換中、装着者の両大腿は、単一の本体１０に設けられた第一大腿収容部２１および第二大腿収容部２２内に収容されているため、体位変換中および体位変換後も、両大腿の相対位置は大きく変化せず、意図しない内転や内旋等が生じにくい。したがって、体位変換中及び体位変換後も患側大腿部の外転状態を好適に保持することができる。
【００２１】
以上説明したように、本実施形態の外転枕１によれば、装着者の脚の外転状態を好適に保持しつつ、装着者自身による体位変換も容易に行うことができる。
【００２２】
また、他端３０ｂが本体１０に着脱可能な蓋部３０を備えるため、装着時の大腿収容動作と、装着時および体位変換時における大腿の逸脱防止とを好適に両立することができる。
【００２３】
本実施形態では、第一大腿収容部２１および第二大腿収容部２２両方の軸線が本体１０の上下方向に対して角度をなしている例を説明した。このような形状は、両側で股関節置換術を行った患者に特に好適であるが、これは本発明に必須ではない。
【００２４】
図５に示す変形例では、第二大腿収容部２２の軸線Ｘ２のみが本体１０の上下方向に対して角度をなしており、第一大腿収容部２１Ａの軸線Ｘ１は本体１０の上下方向と平行である。このように、二つある大腿収容部の一方のみが、収容された大腿を装着者の骨盤に対して外転状態を保持するように構成されてもよい。片側のみに股関節置換術を行った患者であれば、対応する側の大腿収容部のみを上記のように構成した本体を備える外転枕でも、充分に上述した効果を得ることができる。
さらに、大腿収容部の一方のみを、収容された大腿を外転状態保持可能に構成し、かつ本体の背面に加えて前面を曲面状に形成すると、必要に応じて前後反転して装着することにより、一つの外転枕を、いずれの側に置換術を行った患者にも対応可能に構成することができる。
【００２５】
本体の上下方向の寸法は適宜設定できるが、装着した際に膝にかからない程度に設定されるのが好ましい。このようにすると、装着時であっても膝から下の領域をある程度動かすことができ、外転状態を維持しつつ装着者の拘束感を低減することができる。
【００２６】
また、蓋部３０は、本体の上下方向にわたって設けられる必要はなく、上下方向における一部範囲のみに設けられてもよい。また、蓋部の他端は、大腿収容部の内面に着脱可能に構成されてもよいし、両方の端部を本体に対し着脱可能にして、本体から取り外せるように構成してもよい。
蓋部３０の両端部が本体の外周面に取り付けられる形態であると、蓋部を閉じた際に大腿が圧迫されにくく、蓋部と皮膚との接触による皮膚トラブル等の発生を抑制することができる。
【００２７】
さらに、本体の背面に設けられる曲面形状も、必ずしも本体の上下方向にわたって設けられていなくてもよく、装着者が仰臥位を取ったときにベッドや布団等に接触する部位の少なくとも一部が曲面形状であればよい。曲面形状の具体的態様も、上述した樋状に限らず、球面状等自由に設定できるが、上述した本体の体軸周りの回転動作を容易にするためには、曲面形状のうち最も背側に突出した部分が、本体の上下方向に見たときに平坦でない態様であることが好ましい。
【００２８】
本発明の第二実施形態について、図６から図７を参照して説明する。以降の説明において、既に説明したものと共通する構成については、同一の符号を付して重複する説明を省略する。
【００２９】
図６は、本実施形態の外転枕１０１を示す底面図である。外転枕１０１において、本体１１０に蓋部は取り付けられていない。さらに、本体１１０の左右には、装着者の側臥位保持を助けるクッション部１１１が設けられている。本体１１０のうち、クッション部１１１を除いた部分は、第一実施形態の本体１０と概ね同様の形状を有する。
【００３０】
クッション部１１１は、接触する対象の外面形状に合わせて変形可能な構成を有し、変形後の形状をある程度保持可能である。クッション部１１１の具体的な構成例としては、ビーズクッションやエラストマー、各種のゲル状材料等を挙げることができる。
【００３１】
図７に、外転枕１０１を装着した装着者が側臥位を取った状態を模式的に示す。外転枕の本体の左右の側面が曲面状であると、側臥位の状態で本体１１０が自立しにくいため、側臥位を保持しにくい場合があるが、本実施形態の外転枕１０１においては、本体１１０の左右に設けられたクッション部１１１のうち、側臥位において下側に位置するクッション部１１１が床面に沿うように変形する。その結果、本体１１０の左右の側面の一方が平坦または略平坦に変形し、本体１１０が側臥位の状態で安定しやすくなる。
【００３２】
本実施形態の外転枕１０１によれば、第一実施形態の外転枕１と同様に、装着者の脚の外転状態を好適に保持しつつ、装着者自身による体位変換も容易に行うことができる。さらに、側臥位をとったときも、好適に姿勢を安定させることができる。
【００３３】
本実施形態では、クッション部を備えることにより、本体の左右側面が平坦または略平坦に変形可能に構成された例を説明したが、側臥位を安定させるための構成はこれには限られない。例えば、本体の左右の側面を予め平坦に形成してもよい。この場合でも、装着者は、側臥位を安定させる効果を得つつ、仰臥位に戻りたいときは、体重の移動により容易に戻ることが可能である。
【００３４】
以上、本発明の各実施形態について説明したが、本発明の技術的範囲は上記各実施形態に限定されるものではなく、本発明の趣旨を逸脱しない範囲において構成要素の組み合わせを変えたり、各構成要素に種々の変更を加えたり、削除したりすることが可能である。
【００３５】
例えば、本体を袋状に形成し、使用時に空気を入れて装着時の形状に膨張させるよう構成してもよい。この場合、使用しないときは空気を抜くことで持ち運びを容易にしつつ、使用時は一定の内圧を付与することで、外転状態を好適に保持することができる。
【００３６】
さらに、本発明の外転枕の適用対象は、上述した股関節置換術後には限られない。患者の一方或いは両方の脚の外転状態の維持を必要とする他の疾患等にも、本発明の外転枕を好適に適用することが可能である。
【符号の説明】
【００３７】
１、１０１  外転枕
１０、１１０  本体
１０ａ  下端
２１、２１Ａ  第一大腿収容部
２２  第二大腿収容部
３０  蓋部（逸脱防止部材）
【図１】
2018117906.tif 000003
【図２】
2018117906.tif 000004
【図３】
2018117906.tif 000005
【図４】
2018117906.tif 000006
【図５】
2018117906.tif 000007
【図６】
2018117906.tif 000008
【図７】
2018117906.tif 000009